(57)【要約】      （修正有）【課題】  横架材を構造材に接合するに、確実で、かつ、堅牢に行える接合装置を提供する。【解決手段】  横架材１の端面に縦設した係合溝７に、該係合溝７の相対する側壁のそれぞれに重ね合わせて止着して収設する一対の補強板８，８と、該補強板８，８の前記端面側の上部を通じて前記横架材１の端部に横設する掛止杆５と、この掛止杆５を嵌合掛止する嵌合切欠２０を上端に備え、しかも、柱３の側面に突設した一対の受支板１８，１８および該受支板１８，１８を前記一対の補強板８，８間に介在させて前記係合溝７に摺嵌したとき、該受支版１８と前記補強板８及び横架材１の前記端部を互いに接合する接合杆６とを備える。また、前記一対の補強板８，８を、該補強板の上端間に架設した仲介片９で互いに一体にする。  【選択図】  図１
2006089914.tif 000002
【特許請求の範囲】
【請求項１】
梁、桁などの横架材の端面に縦設した下端開口の係合溝に、該係合溝の相対する側壁のそれぞれに重ね合わせて止着して収設する一対の補強板と、該補強板の前記端面側の上部を通じて前記横架材の端部に横設する掛止杆と、この掛止杆を嵌合掛止する嵌合切欠を上端に備え、柱や胴差などの構造材の側面に突設した一対の受支板および該受支板を前記一対の補強板間に介在させて前記係合溝に摺嵌したとき、該受支板と前記補強板及び横架材の前記端部を互いに接合する接合杆とを備えると共に、前記一対の補強板を、該補強板の上端間に架設した仲介片で互いに一体にした、横架材の接合装置。
【発明の詳細な説明】
【技術分野】
【０００１】
本発明は、木造建物に適用する横架材の接合装置に関するものである。
【背景技術】
【０００２】
横架材の端面に設けた縦溝に、該縦溝の相対する側壁のそれぞれに重ね合わせて収設する一対の補強板と、該補強板の前記端面側の上部を通じて前記横架材の端部に横設する掛止杆と、この掛止杆を嵌合掛止する嵌合切欠を上端に備え、柱の側面に突設した一対の受支および該受支板を前記一対の補強板間に介在させて前記係合溝に摺嵌したとき、該受支板と前記補強板及び横架材の前記端部を互いに接合する接合とを備えた、横架材の接合装置は公知である（例えば、特許文献１）。
【０００３】
【特許文献１】特開２００３−２２７１７５号公報
【発明の開示】
【発明が解決しようとする課題】
【０００４】
前記従来例は、プレカット工場において受支板を備えた接合金具を柱側に固定して組付け、また、横架材側には一対の補強板と掛止杆を組付けるようにして、現場において、柱側の受支板を、横架材の、補強板を組付けた係合溝内に摺嵌させ（相対的に）、受支板と補強板および係合溝のある横架材の端部を接合杆で互いに接合するようにするものであるが、補強板は互いに別体で構成したものであるため、互いに位置合わせして横架材に組付ける必要がある等の、横架材に対する組付け作業が煩雑である。
【０００５】
本発明は、斯様な従来例の欠点を除去した接合装置を提供すべく創案したものである。
【課題を解決するための手段】
【０００６】
梁、桁などの横架材の端面に縦設した下端開口の係合溝に、該係合溝の相対する側壁のそれぞれに重ね合わせて止着して収設する一対の補強板と、該補強板の前記端面側の上部を通じて前記横架材の端部に横設する掛止杆と、この掛止杆を嵌合掛止する嵌合切欠を上端に備え、柱や胴差などの構造材の側面に突設した一対の受支板および該受支板を前記一対の補強板間に介在させて前記係合溝に摺嵌したとき、該受支板と前記補強板及び横架材の前記端部を互いに接合する接合杆とを備えると共に、前記一対の補強板を、該補強板の上端間に架設した仲介片で互いに一体にした構成とする。
【発明の効果】
【０００７】
本発明は前記の通りの構成であるから、横架材を構造材に確実に、かつ、堅牢に接合することができ、接合状態を得るに際し、横架材を補強する一対の補強板は仲介片で互いに一体にしたものとしてあるから、補強片同士の位置合わせを必要としないで、横架材に対する組付け作業を、正確に、かつ、円滑に行うことができる。
【実施例】
【０００８】
図面は本発明に係る横架材の接合装置の実施例を示し、図１は縦断面図、図２は図１の拡大平面図、図３は補強金具の正面図、図４は図３の平面図、図５は補強金具の第二実施形の正面図、図６は図５の平面図、図７は補強金具の第三実施例の正面図、図８は図７の平面図である。
【０００９】
実施例は、横架材（梁や桁）１側に補強金具２を、柱（胴差でも良い）３側に接合金具４をそれぞれ止着し、接合金具４に、補強金具２を組付けた横架材１の端部を、掛止杆５と接合杆６とで組付けるようにして前記横架材１を柱３に接合するものである。
【００１０】
横架材１は、断面方形状の大径部７ａと該大径部７ａの奥壁の両隅部にスリット状にして連通させた細径部７ｂ，７ｂとで成る係合溝７を端面に備え、該係合溝７に前記補強金具２を組付けたものである。
【００１１】
補強金具２は、一対の縦長長方形状の補強板８，８を先端縁８ａ（前記横架材１の端面）側の上端の一側において、断面コ字形の仲介片９を架設して互いに一体にした形態の態様で成り、補強板８，８の前記先端縁８ａ側には補強板８，８間において互いに一致する第一透孔１０，１０，１０を先端縁８ａに沿わせて並設し、先端縁８ａに相対する後端縁８ｂには、第一透孔１０と同様に補強板８，８間において互いに一致する上下一対の第二透孔１１，１１を第一透孔１０，１０，１０の並設方向に沿わせて並設したものである。
【００１２】
この補強金具２は、係合溝７の細径部７ｂに補強板８の後端縁８ｂを嵌装するようにして係合溝７に係合させ、補強板８よりいわば突出させた仲介片（の上部片）９の上面９ａを横架材１の上面と同面上に位置させ、かつ、該仲介片９（の上部片）の後端縁９ｂが係合溝大径部７ａの奥壁に接する位置に配して、補強板８を係合溝７（大径部７ａ）の側壁面に重ね合わせ、その重ね合わせた状態で前記第二透孔１１，１１に一致させるようにして横架材１の端部に設けた第二貫通孔１２を通じて固定杆１３を第二透孔１１に打込み、嵌挿し、また、同様に第一透孔１０，１０，１０と一致するようにして横架材１の端部に縦方向に並設した第一貫通孔１４，１４，１４の最上位の第一貫通孔１４とこれに一致する、第一透孔１０，１０，１０中の最上位のものに、前記固定杆１３を第二透孔１１等に打込み、嵌挿するのと同様に、前記掛止杆５を嵌挿、打込むことにより、横架材１側に前記の通り止着したものである。
【００１３】
そして、この止着作業である固定杆１３や掛止杆５の打込み操作前に行う、補強金具２の横架材１に対する組合せ作業は、補強金具２の仲介片９部の上面９ａを横架材１の上面と同面上に配し、かつ、仲介片９の後端縁９ｂを該補強金具２を係合収容した係合溝の奥壁に接しさせることにより定位置を確保して行われ、仲介片９はいわば定規の働きをするのである。
【００１４】
補強金具２の仲介片９の上面９ａを横架材１の上縁と同面上に位置させ、かつ、仲介片９の（上部片の）後端縁９ｂを係合溝７（係合溝大径部７ａ）の奥壁に接しさせたときの第一透孔１０は、横架材１側の第一貫通孔１４と、また、第二透孔１１は横架材１側の対応する第二貫通孔１２に一致するように設けてあることは勿論である。
【００１５】
前記柱３は、縦方向に沿う中央に並べて設けた貫通孔１５，１５，１５を備え、該貫通孔１５に貫通させた通しボルト１６を利用してその側面に前記接合金具４を止着したものである。
【００１６】
接合金具４は、取付板１７の両側に一対の受支板１８，１８を相対設して成り、取付板１７に前記柱３の貫通孔１５（該貫通孔１５に貫通させた通しボルト１６）と一致するようにして取付孔を縦方向に並べて設ける一方、受支板１８には上端の嵌合切欠２０と該切欠２０の直下に位置するようにして一対の接合孔２１，２１を受支板１８，１８間において互いに一致させて設け、嵌合切欠２０を補強板８に設けた上位の前記第一透孔１０、接合孔２１，２１を他の第一透孔１０，１０と一致するように設けたものである。
【００１７】
なお、受支板１８は実施例のように接合金具４の一部で構成する必要はなく、互いに別体の鋼板体で構成するようにして、柱３に適宜手段で柱３より突出させたものであれば良い。
【００１８】
実施例の受支板１８を構成する接合金具４は、取付板１７に設けた取付孔のそれぞれに前記柱３の側面より前記貫通孔１５を利用して予め突出させた前記通しボルト１６の先端を挿通させるよう柱３に組合わせ、通しボルト１６先端にナット２２を螺合締付けて柱３側面に固着して前記受支板１７を柱３側面より突出させたものである。
【００１９】
そして、補強板８，８（補強金具２）およびこれらに架設するようにして配した掛止杆５を組付けた横架材１端部を、通しボルト１６およびナット２２によって柱３の側面に固着した接合金具４上に位置させて下方向に摺嵌（降下）させると、接合金具４で構成する前記受支板１７，１７を係合溝７すなわち補強板８，８間の空隙１９内に相対的に嵌合しつつ該横架材１は降下し、この降下に伴って嵌合切欠２０に掛止杆５が嵌合して嵌合切欠２０内を降下し、ついには、嵌合切欠２０の下縁で掛止杆５は受支され、該掛止杆５を組付けた横架材１は柱３に仮接合されることになる（このとき、掛止杆５は補強板８の第一透孔１０にも通してあるので、該掛止杆５に、横架材１の全荷重が第一貫通孔１４部において負荷されることはなく、従って、補強板８は、この仮接合状態にあっても横架材１の第一貫通孔１４部からの割裂を防ぎ、補強材として機能する）。
【００２０】
この仮接合状態にあって、柱３側である接合金具４の受支板１８に設けた上下一対の接合孔２１，２１と、横架材１側である補強板８に設けた下側の一対の第一透孔１０，１０およびこれらに一致させた横架材１の第一貫通孔１４，１４は、互いに一致した位置に配するようにしてあるから、これらに接合杆６を打込み、嵌挿することにより横架材１は柱３に接合され、実施例を適用した横架材の接合状態（もとより、横架材１の接合杆６や掛止杆５に対する荷重の負荷による裂傷のおそれを補強板８の存在によって可及的に防いだ）を得られる。
【００２１】
図５および図６は、補強金具２の他の実施例を示し、この実施例は、仲介片９の（上部片の）後端に垂下部片９ｃを設け、該垂下部片９ｃを、横架材１の係合溝７（大径部７ａ）の奥壁に当てるようにして横架材１（係合溝７）に対する補強金具２位置合わせを尚一層容易に行えるようにしたものである。
【００２２】
図７および図８は、前記第二実施例とは逆方向に起立部片９ｂを仲介片９（の上部片）に設けて、これを係合溝７の奥壁に接触させるようにして、横架材１に対する補強金具２の位置合わせを容易に行えるようにしたものである。
【００２３】
各実施例の補強金具２の仲介片９の上部片は、係合溝７（大径部７ａ）の断面方形状とほぼ一致する方形状を呈して、該溝７を縦方向に閉塞し、係合溝７（の大径部７ａ）が存在することによる上下階間の空気の移動を可及的に遮断し、この空気の移動を原因とする、火災時の下階から上階への延焼を防止する。
【図面の簡単な説明】
【００２４】
【図１】縦断面図。
【図２】図１の拡大平面図。
【図３】補強金具の正面図。
【図４】図３の平面図。
【図５】補強金具の第二実施形の正面図。
【図６】図５の平面図。
【図７】補強金具の第三実施例の正面図。
【図８】図７の平面図。
【符号の説明】
【００２５】
１      横架材
３      柱
５      掛止杆
６      接合杆
７      係合溝
８      補強板
９      仲介片
１８    受支板
２０    嵌合切欠
【図１】
2006089914.tif 000003
【図２】
2006089914.tif 000004
【図３】
2006089914.tif 000005
【図４】
2006089914.tif 000006
【図５】
2006089914.tif 000007
【図６】
2006089914.tif 000008
【図７】
2006089914.tif 000009
【図８】
2006089914.tif 000010